(57)【特許請求の範囲】
【請求項１】
ガラスからなる透光性基板と；
前記透光性基板上に複数の電極領域に分割されて形成され、かつ透光性材料からなる第１の電極と；
前記第１の電極の各電極領域の側方に位置する前記基板部分に設けられた凹部と、前記凹部内に充填され、前記発光層からの青色光または紫外線を任意の可視光に変換する1種または複数種の蛍光材料が分散された透光性高分子材料とを有する光変換部と；
前記第１の電極上および前記光変換部上全体に形成され、青色光または紫外線を放出するエレクトロルミネッセンス材料層を有する単一の発光層と；
前記発光層を介して前記第１の電極と少なくとも一部が対向するように配置された第２の電極と；
を具備することを特徴とする面発光装置。
【請求項２】
前記光変換部は前記蛍光材料として前記発光層からの青色光を緑色光に変換する緑色蛍光材料と赤色光に変換する赤色蛍光材料との混合物を有し、前記発光層からの青色光と前記光変換部からの緑色光および赤色光との加法混色により白色光が放出されることを特徴とする請求項１記載の面発光装置。
【請求項３】
前記光変換部は第１の凹部と第２の凹部とを有し、前記第１の凹部は前記発光層からの青色光を緑色光に変換する緑色蛍光材料を含むと共に、前記第２の凹部は前記発光層からの青色光を赤色光に変換する赤色蛍光材料を含み、前記発光層からの青色光と前記光変換部からの緑色光および赤色光との加法混色により白色光が放出されることを特徴とする請求項１記載の面発光装置。
【発明の詳細な説明】
【技術分野】
【０００１】
本発明はＥＬ（エレクトロルミネッセンス）素子を適用した面発光装置に関する。
【背景技術】
【０００２】
近年、電場発光を利用したＥＬ素子が各種表示装置の発光素子として注目されている。ＥＬ素子は発光材料に無機化合物を用いた無機ＥＬ素子と有機化合物を用いた有機ＥＬ素子とに大別される。これらのうち、有機ＥＬ素子は自発光型の平面表示装置としての研究が進められている。さらに、有機ＥＬ素子は印加電圧が小さく、消費電力を大幅に低減できると共に、発光輝度に優れる等の特徴を有することから、液晶表示装置のバックライトを始めとする面発光源等の照明用途への適用も検討されている。
【０００３】
有機ＥＬ素子の代表的な構造としては、ガラス基板等の透明基板上にＩＴＯ等からなる透明電極を陽極として形成し、この透明電極上に有機化合物からなる発光層（有機発光層）と金属電極からなる陰極を順に形成したものが知られている。このような有機ＥＬ素子において、透明電極として用いるＩＴＯは金属に比べて高抵抗であることから、ライン状やドットマトリクス状に分割して配置している。このため、発光部は面積的に制約を受けている。また、発光面積の増大を図るために単純に面積を拡大すると、発光時のジュール熱で発光物質としての有機化合物が結晶化しやすくなり、これにより発光層が発光しなくなるという重大な問題を招いてしまう。
【０００４】
さらに、有機ＥＬ素子は透明基板上に屈折率が異なる材料層を積層して形成しているため、発光部からの光がファイバー効果で透明基板の面方向、すなわち本来の発光方向とは異なる方向に導かれてしまうという問題がある。このような横方向への光の照射は光の取出し効率を悪化させ、結果的に有機ＥＬ素子を適用した面発光源の発光効率を低下させるという問題が生じている。このような点に対して、透明基板の発光面全面を凹凸状にして光の取出し効率を高めることも検討されているが（例えば特許文献１参照）、このような構成では光の取出し効率を十分に高めることができないと共に、加工工数や加工コストの増大等を招くという問題がある。
【０００５】
また、有機ＥＬ素子をバックライト等の面発光源として利用する場合には白色発光を得ることが重要となる。有機ＥＬ素子で白色発光を得る方法としては、例えば(1)赤、緑、青の各色または補色関係にある2色に発光する有機化合物を共蒸着させ、1つの有機発光層内に2色以上の発光材料を混在させる方法、あるいは(2)単一色に発光する有機発光層を白色が得られるように複数積層して形成する方法が主として用いられている。
【０００６】
(1)の2色以上の発光材料を混在させる方法は、最終的に各有機化合物の濃度がそれぞれ所定の値となるように、各有機化合物の蒸着速度に応じて共蒸着時の条件を設定する必要がある。しかし、各発光材料の濃度を蒸着速度に応じて正確に制御することは困難であり、発光色の制御性や量産性に劣るという問題を有している。また、(2)の方法は複数の有機発光層を階層的に積層する必要があることから、各有機発光層が正孔輸送層と電子輸送層の少なくともいずれか一方を有していなければならず、材料や製造プロセスが制約されるという問題を有している。
【０００７】
上述した白色発光タイプの有機ＥＬ素子の問題を改善するために、例えば第１の有機発光層をパターン化して形成し、それとは補色関係にある第２の有機発光層をパターン化された第１の有機発光層を覆うように形成することによって、第１および第２の有機発光層の少なくとも一部を並列配置した素子構造が提案されている（例えば特許文献２参照）。しかし、複数の有機発光層を例えば真空蒸着で形成することに変わりはないため、製造工数や製造コストの増大を招くという問題は残されている。
【特許文献１】特開2002-043054号公報
【特許文献２】特開2003-123971号公報
【発明の開示】
【発明が解決しようとする課題】
【０００８】
上述したように、従来の有機ＥＬ素子を適用した面発光装置（有機ＬＥＤ）は、透明電極が高抵抗であることや発光物質としての有機化合物が発光時のジュール熱で結晶化しやすいこと等に基づいて発光部の面積に制約があり、さらに素子構造に起因するファイバー効果で光の取出し効率を低いというような難点を有している。このようなことから、発光部が面積的に制約を受ける面発光装置の光の取出し効率を高めることによって、面発光装置としての発光量や発光面積の向上を図ることが求められている。また、白色発光タイプの面発光装置においては発光量の向上と共に、簡易的な素子構造や製造プロセスで白色光を得ることを可能にすることが望まれている。
【０００９】
本発明はこのような課題に対処するためになされたもので、光の取出し効率を高めることで発光量や発光面積の向上を図った面発光装置を提供することを目的としている。さらに、光の取出し効率を高めると共に、簡易的な素子構造や製造プロセスで白色光等の任意の光を得ることを可能にした面発光装置を提供することを目的としている。
【課題を解決するための手段】
【００１１】
請求項１記載の面発光装置は、ガラスからなる透光性基板と；前記透光性基板上に複数の電極領域に分割されて形成され、かつ透光性材料からなる第１の電極と；前記第１の電極の各電極領域の側方に位置する前記基板部分に設けられた凹部と、前記凹部内に充填され、前記発光層からの青色光または紫外線を任意の可視光に変換する1種または複数種の蛍光材料が分散された透光性高分子材料とを有する光変換部と；前記第１の電極上および前記光変換部上全体に形成され、青色光または紫外線を放出するエレクトロルミネッセンス材料層を有する単一の発光層と；前記発光層を介して前記第１の電極と少なくとも一部が対向するように配置された第２の電極と；を具備することを特徴としている。
【発明の効果】
【００１３】
請求項１記載の発明によれば、第１の電極の各電極領域の側方に位置する基板部分に設けられた凹部内に透光性高分子材料を充填して光変換部を構成しているため、素子構造等に起因するファイバー効果で基板の面方向に導かれる光を発光面方向に取出すことができると共に、透光性高分子材料内に分散された蛍光材料に基づいて白色光等の任意の光を得ることが可能となる。
【発明を実施するための最良の形態】
【００１４】
以下、本発明を実施するための形態について、図面を参照して説明する。図１、図２および図３は本発明の第１の実施形態による面発光装置の構成を模式的に示す図である。図１は第１の実施形態による面発光装置の構成を一部切り欠いて示す平面図、図２は図１に示す面発光装置のＡ−Ａ線に沿った断面図、図３は図１に示す面発光装置のＢ−Ｂ線に沿った断面図である。
【００１５】
これらの図に示す面発光装置は発光素子として有機ＥＬ素子を適用した有機ＬＥＤ１である。この面光源としての有機ＬＥＤ１は、基板としてガラス基板や透明樹脂基板等の透光性基板２を有している。透光性基板２上には第１の電極としてＩＴＯ等の透光性導電材料からなる透明電極３が形成されている。透明電極３は複数のライン状に形成されており、これら各ライン部に基づいて複数の電極領域３ａ、３ａ…に分割されている。透明電極３の各電極領域３ａ、３ａ…はそれぞれ陽極として機能するものである。
【００１６】
透明電極３の各電極領域３ａ、３ａ…の側方に位置する部分には、溝状の凹部４が各電極領域３ａ、３ａ…に沿って設けられている。すなわち、透明電極３を構成する各電極領域３ａ、３ａ…間には、透光性基板２に例えばブラスト処理、エッチング処理、切削加工等を施して形成した溝状凹部４、４…がそれぞれ配置されている。溝状凹部４の断面形状は円弧状、Ｖ状、コ字状等が適用可能である。これら各溝状凹部４、４…内にはそれぞれ透光性基板２と屈折率が異なる光拡散材料５が充填されている。これら溝状凹部４と光拡散材料５は光放出部を構成するものである。
【００１７】
溝状凹部４内に充填された光拡散材料５は、透光性基板２との屈折率の違いに基づいて、透光性基板２の面方向に逃げる光を拡散させて有機ＬＥＤ１の発光面（透光性基板２の前面側）方向に放出させるものである。光拡散材料５としては光のレンズ効果や放出性等の点から透光性高分子材料を使用することが好ましい。具体的には、紫外線硬化性や熱硬化性のアクリル樹脂、エポキシ樹脂、ポリイミド樹脂、あるいは熱可塑性のフッ素樹脂等を用いることができる。これらのうちでも、溝状凹部４内への充填性に優れることから、紫外線硬化性や熱硬化性の光透過性樹脂を使用することが好ましい。
【００１８】
溝状凹部４と光拡散材料５とからなる光放出部は、例えば以下のようにして形成される。まず、透光性基板２上に透明電極（ＩＴＯ電極等）３をスパッタ法でライン状にパターニングして形成した後、透明電極３上をマスキングし、このマスキングで覆われていない基板部分にブラスト処理やエッチング処理等を施して溝状凹部４を形成する。この溝状凹部４内に例えば光透過性樹脂組成物を充填した後、その硬化条件に応じて紫外線照射や熱処理等を施す。このようにして、溝状凹部４内に透光性高分子材料等からなる光拡散材料５を充填した光放出部が形成される。
【００１９】
透明電極３上には有機ＥＬ材料層を有する発光層６が設けられている。発光層６としては、例えば図４に示すように、正孔輸送層７と有機発光材料層８と電子注入層９とを順に積層形成したものが挙げられる。正孔輸送層７には例えばジフェニルナフチルジアミン（α-ＮＰＤ）が用いられる。有機発光材料層８には、例えばアルミキノリノール錯体（Ａｌｑ3）、ポリフェニレンビニレン誘導体、ポリチオフェン誘導体等、またこれらホスト材に各種のドーパントをドープした材料等が用いられる。電子注入層９にはフッ化リチウム（ＬｉＦ）等が用いられる。発光層６の層構成や構成材料はこれらに限られるものではなく、各種公知の積層構造や材料を採用することが可能である。
【００２０】
発光層６の発光色は、例えば青色、緑色、赤色、またこれらの中間色等の単色、もしくは青、緑、赤の各色または補色関係にある2色に発光する有機化合物（ホスト材にドーパントをドープした有機材料を含む）を用いた白色等、有機ＬＥＤ１の使用用途に応じて適宜に選択することができる。白色発光を得るための構成としては、各色に発光する有機化合物を積層形成したり、あるいは各色のドーパントをドーピングした有機化合物（ホスト材としての有機化合物の発光色とドーパントの発光色との補色関係に基づく白色発光等を含む）を用いる等、各種公知の手段を採用することが可能である。
【００２１】
上記した発光層６上には第２の電極としてＡｌ、Ａｇ、Ｐｄ、Ｐｔ等の金属、あるいはＭｇ−Ａｌ合金等からなる金属電極１０が形成されている。金属電極１０は陰極として機能するものであり、透光性基板２の素子形成領域全体に形成されている。また、有機化合物からなる発光層６も透明電極３上を含む素子形成領域全体に形成されている。言い換えると、発光層６はライン状の透明電極３全体を覆うように形成されており、この発光層６を介してベタ膜状の金属電極１０が形成されている。従って、透明電極３と金属電極１０とが直接接触してショート等が生じることを発光層６で防止している。
【００２２】
透明電極３、発光層６および金属電極１０は、透光性基板２の外周部に封止用接着剤１１を介して接着された封止部材１２により気密封止されている。封止部材１２は基板２と同様にガラス基板や透光性樹脂基板で構成してもよいし、また透光性は必要ないため、金属製の封止部材を適用してもよい。さらに、封止部材１２の内面には乾燥剤１３が取り付けられており、空気中の水分等による発光層６の劣化が防止されている。これら各構成要素によって、第１の実施形態の有機ＬＥＤ１が構成されている。
【００２３】
上述した有機ＬＥＤ１においては、透明電極３の各電極領域３ａ、３ａ…の上部に相当する部分が発光部となる。すなわち、有機ＬＥＤ１はライン状の発光部を複数有している。ここで、図５に示すように、各発光部から放出された光は透明電極３および透光性基板２を通過して、有機ＬＥＤ１の発光面（透光性基板２の前面側）方向に放出される。また、透明電極３を通過する光の一部は素子膜や基板のファイバー効果等で、透光性基板２内をその面方向に伝播しようとするが、この透光性基板２内を伝わる光は光放出部のレンズ効果等に基づいて有機ＬＥＤ１の発光面側に導かれる。さらに、金属電極１０で反射された光も光放出部のレンズ効果等に基づいて有機ＬＥＤ１の発光面側に導かれる。従って、発光部で生じた光を発光面側の所望方向に効率よく取出すことが可能となる。
【００２４】
このように、第１の実施形態によれば発光部の面積を制約するライン状の透明電極３を使用した有機ＬＥＤ１において、光の取出し効率の向上に基づいて発光量を向上させることができる。さらに、透光性基板２内を伝わる光や金属電極１０で反射された光が光放出部から放出されるため、実質的に発光面積を増大させることが可能となる。すなわち、有機ＬＥＤ１は液晶表示装置のバックライトを始めとする高輝度の大型面光源として好適に使用することができる。
【００２５】
具体的に、溝状凹部４と光拡散材料５とからなる光放出部を適用した有機ＬＥＤ１の前面照射照度を、従来の光放出部を有さない有機ＬＥＤの前面照射照度と比較したところ、従来の有機ＬＥＤの前面照射照度を100％としたとき、光放出部を具備する有機ＬＥＤ１の前面照射照度は140％まで向上した。また、同一の前面照射照度に基づく寿命を比較したところ、従来の有機ＬＥＤの寿命を100％としたとき、光放出部を具備する有機ＬＥＤ１の寿命は180％まで向上した。なお、上記した照度および寿命の比較は、厚さ1mmのガラス基板を使用し、このようなガラス基板に幅5mmの透明電極をライン状に形成すると共に、幅3mm、深さ0.2mmの溝を形成し透光性樹脂材料を充填して光放出部を形成した有機ＬＥＤを用いて実施した。
【００２６】
なお、上述した第１の実施形態では本発明をライン状の透明電極３を有する有機ＬＥＤ１に適用したが、透明電極の形状はこれに限られるものではなく、正方形状や長方形状の透明電極をマトリクス状に配置したものであってもよい。この場合、光放出部を構成する凹部は各電極領域間に穴状に点在される。このようなマトリクス状の透明電極を適用する場合には、例えば図６に示すように、透明電極３全体に通電することが可能なように、透明電極３の各電極領域３ａ間を金属薄膜１４で接続する。これによって、上述した第１の実施形態の有機ＬＥＤ１と同様な効果が期待できる。また、金属薄膜１４で接続した透明電極３は抵抗値を下げることができるため、発光時におけるジュール発熱を抑制することが可能となる。これは寿命の向上等に寄与する。また、有機ＬＥＤ１は透明電極３と金属電極１０の位置を逆転させた構造であってもよい。
【００２７】
次に、本発明の第２の実施形態について、図７の装置断面図を参照して説明する。なお、ここでは平面図を省略したが、装置平面構造は図１と概略同様とされている。図７は図１のＡ−Ａ線に沿った断面図に相当する。図７に示す有機ＬＥＤ２０は、第１の実施形態と同様に、ライン状の透明電極３が形成された透光性基板２を有している。透明電極３は複数の電極領域３ａ、３ａ…に分割されており、これら各電極領域３ａ、３ａ…はそれぞれ陽極として機能する。
【００２８】
透明電極３の各電極領域３ａ、３ａ…の側方に位置する部分には、溝状の凹部４が各電極領域３ａ、３ａ…に沿って設けられている。すなわち、透明電極３を構成する各電極領域３ａ、３ａ…間には、透光性基板２に例えばブラスト処理、エッチング処理、切削加工等を施して形成した溝状凹部４、４…がそれぞれ配置されている。これら各溝状凹部４、４…内には、発光層６から放出された光を任意の可視光に変換する1種または複数種の蛍光材料が分散された透光性高分子材料２１が充填されている。これら溝状凹部４と蛍光材料が分散された透光性高分子材料２１は光変換部を構成するものである。
【００２９】
溝状凹部４内に充填する透光性高分子材料２１には、第１の実施形態と同様に、透光性基板２と屈折率が異なる高分子材料が用いられ、これにより透光性基板２の面方向に逃げる光をレンズ効果で発光面（透光性基板２の前面側）方向に放出させることが可能となる。透光性高分子材料２１には第１の実施形態と同様に、紫外線硬化性や熱硬化性のアクリル樹脂、エポキシ樹脂、ポリイミド樹脂、あるいは熱可塑性のフッ素樹脂等を用いることができる。これらのうちでも、溝状凹部４内への充填性に優れることから、紫外線硬化性や熱硬化性の光透過性樹脂を使用することが好ましい。透光性高分子材料２１中に分散される蛍光材料については後に詳述する。
【００３０】
透明電極３上には有機ＥＬ材料層を有する発光層６が設けられている。発光層６上には第２の電極としてＡｌ、Ａｇ、Ｐｄ、Ｐｔ等の金属、あるいはＭｇ−Ａｌ合金等からなる金属電極１０が形成されている。金属電極１０は陰極として機能するものであり、透光性基板２の素子形成領域全体に形成されている。また、有機化合物からなる発光層６も透明電極３上を含む素子形成領域全体に形成されており、透明電極３と金属電極１０とが直接接触してショート等が生じることを発光層６で防止している。
【００３１】
透明電極３、発光層６および金属電極１０は、透光性基板２の外周部に封止用接着剤１１を介して接着された封止部材１２により気密封止されている。封止部材１２は基板２と同様にガラス基板や透光性樹脂基板で構成してもよいし、また透光性は必要ないため、金属製の封止部材を適用してもよい。さらに、封止部材１２の内面には乾燥剤１３が取り付けられており、空気中の水分等による発光層６の劣化が防止されている。これら各構成要素によって、第２の実施形態の有機ＬＥＤ２０が構成されている。
【００３２】
上述した有機ＬＥＤ２０において、発光層６の構成は第１の実施形態と同様であるが、この実施形態では青色光または紫外線を放出する発光層６が用いられる。一方、光変換部の透光性高分子材料２１中には、発光層６からの青色光または紫外線を任意の可視光に変換する1種または複数種の蛍光材料が分散されている。そして、有機ＬＥＤ２０は発光層６からの光と光変換部からの光との加法混色により任意の可視光を放出することが可能なように構成されている。透光性高分子材料２１中に分散させる蛍光材料としては、例えば蛍光体や蛍光色素を適用することができるが、所望の色を確実にかつ効率よく得る上で蛍光色素を使用することが好ましい。
【００３３】
例えば、青色発光の発光層６を適用して白色光を得る場合、光変換部の透光性高分子材料２１中には青色光を緑色光に変換する緑色蛍光色素（例えばクマリン６）と赤色光に変換する赤色蛍光色素（例えばローダミン６Ｇ）との混合物を分散させる。蛍光色素の分散濃度は0.01〜10質量％の範囲とすることが好ましい。このような有機ＬＥＤ２０においては、図８に示すように、発光部から放出された光Ｂは透明電極３および透光性基板２を通過して、有機ＬＥＤ２０の発光面（透光性基板２の前面側）方向に放出される。
【００３４】
一方、透明電極３を通過する光の一部は素子膜や基板のファイバー効果等で、透光性基板２内をその面方向に伝播しようとするが、この透光性基板２内を伝わる光は光変換部のレンズ効果等に基づいて有機ＬＥＤ２０の発光面側に導かれる。さらに、金属電極１０で反射された光も光放出部のレンズ効果等に基づいて有機ＬＥＤ２０の発光面側に導かれる。ここで、光変換部を通過する青色光は緑色蛍光色素および赤色蛍光色素のカラーフィルター効果に基づいて緑色光Ｇおよび赤色光Ｒに変換される。従って、発光部から透明電極３を通過して放出される光Ｂと光変換部を通過した緑色光Ｇおよび赤色光Ｒとの加法混色に基づいて、任意の色温度の白色光を得ることができる。
【００３５】
光変換部の蛍光色素で白色発光を得る方法は、上述した緑色蛍光色素と赤色蛍光色素との混合物を用いる方法に限らず、例えば青色光と補色関係にある黄色または橙色の蛍光色素（例えばＤＣＭやルブレン）を用いることで白色発光を得ることも可能である。また、紫外発光の発光層６を適用して白色光を得る場合、光変換部の透光性高分子材料２１中には青色蛍光体と緑色蛍光体と赤色蛍光体との混合物を分散させる。このような構成によっても、発光層６から放出された紫外線を光変換部で青色光と緑色光と赤色光に変換し、これらの光の加法混色に基づいて任意の色温度の白色光を得ることができる。
【００３６】
さらに、光変換部を構成する凹部は1つに限られるものではない。図９示す有機ＬＥＤ２０は透明電極３の電極領域３ａの両側に第１の凹部４Ａと第２の凹部４Ｂとが配置されている。これら凹部４Ａ、４Ｂには発光層６からの青色光を可視光に変換する異種の蛍光材料が分散された透光性高分子材料２１Ａ、２１Ｂが充填されている。例えば、白色光を得る場合には、光変換部の第１の凹部４Ａ内には緑色蛍光色素（例えばクマリン６）が分散された透光性高分子材料２１Ａを充填する。一方、第２の凹部４Ｂ内には赤色蛍光色素（例えばローダミン６Ｇ）が分散された透光性高分子材料２１Ｂを充填する。
【００３７】
このような有機ＬＥＤ２０においては、図１０に示すように、発光部から放出された光Ｂは透明電極３および透光性基板２を通過して、有機ＬＥＤ２０の発光面（透光性基板２の前面側）方向に放出される。一方、透明電極３を通過する光の一部は素子膜や基板のファイバー効果等で、透光性基板２内をその面方向に伝播しようとするが、この透光性基板２内を伝わる光は光変換部のレンズ効果等に基づいて有機ＬＥＤ２０の発光面側に導かれる。さらに、金属電極１０で反射された光も光放出部のレンズ効果等に基づいて有機ＬＥＤ２０の発光面側に導かれる。ここで、第１の凹部４Ａ内を通過する青色光は緑色光Ｇに変換され、また第２の凹部４Ｂを通過する青色光は赤色光Ｒに変換される。従って、発光部から透明電極３を通過して放出される光Ｂと光変換部を通過した緑色光Ｇおよび赤色光Ｒとの加法混色に基づいて、任意の色温度の白色光を得ることができる。
【００３８】
上述した有機ＬＥＤ２０による白色発光は、青色発光の発光層６と光変換部の蛍光色素に基づいて得られるため、発光層６自体を白色発光させる場合に比べて素子構造や製造プロセスを大幅に簡素化することが可能となる。また、発光部で生じた光を発光面側の所望方向に効率よく取出すことができるため、白色光等の発光量を向上させることができると共に、透光性基板２内を伝わる光や金属電極１０で反射された光が光変換部から放出されるため、実質的な発光面積の増大を図ることが可能となる。有機ＬＥＤ２０は液晶表示装置のバックライトを始めとする高輝度の大型面光源として好適に使用することができる。
【００３９】
なお、上述した第２の実施形態ではライン状の透明電極３を適用したが、透明電極は第１の実施形態と同様に、正方形状や長方形状であってもよい。このような透明電極をマトリクス状に配置する場合には、第１の実施形態と同様に、透明電極全体に通電することが可能なように、透明電極の各電極領域間を金属薄膜等で接続する。これによって、上述した第２の実施形態の有機ＬＥＤ２０と同様な効果が期待できる。また、有機ＬＥＤ２０は透明電極３と金属電極１０の位置を逆転させた構造、すなわち封止部材１２側を発光面とした構造を有するものであってもよい。
【図面の簡単な説明】
【００４０】
【図１】本発明の第１の実施形態による有機ＬＥＤの概略構造を一部切り欠いて示す平面図である。
【図２】図１に示す有機ＬＥＤのＡ−Ａ線に沿った断面図である。
【図３】図１に示す有機ＬＥＤのＢ−Ｂ線に沿った断面図である。
【図４】図１に示す有機ＬＥＤの発光層部分を拡大して示す断面図である。
【図５】図１に示す有機ＬＥＤの発光状態を説明するための図である。
【図６】図１に示す有機ＬＥＤの変形例を示す断面図である。
【図７】本発明の第２の実施形態による有機ＬＥＤの概略構造を示す断面図である。
【図８】図７に示す有機ＬＥＤの発光状態を説明するための図である。
【図９】図７に示す有機ＬＥＤの変形例を示す断面図である。
【図１０】図９に示す有機ＬＥＤの発光状態を説明するための図である。
【符号の説明】
【００４１】
１，２０…有機ＬＥＤ、２…透光性基板、３…透明電極（陽極）、４…溝状凹部、５…光拡散材料、６…発光層、１０…金属電極（陰極）、２１…蛍光材料が分散された透光性高分子材料。
【図１】
0004639642.tif 000002
【図２】
0004639642.tif 000003
【図３】
0004639642.tif 000004
【図４】
0004639642.tif 000005
【図５】
0004639642.tif 000006
【図６】
0004639642.tif 000007
【図７】
0004639642.tif 000008
【図８】
0004639642.tif 000009
【図９】
0004639642.tif 000010
【図１０】
0004639642.tif 000011